(57)【要約】【課題】循環送風機の回転速度を通常よりも高い回転速度で維持し続けることができ、衣類の乾燥を効率良く行うことができる衣類乾燥機を提供する。【解決手段】本実施形態に係る衣類乾燥機は、衣類が収容される乾燥室と、前記乾燥室に接続される循環風路と、前記乾燥室内の空気を前記循環風路を通して循環させる循環送風機と、前記循環風路内に設けられ、前記循環風路内を流れる空気を除湿する除湿手段と、を備え、前記循環送風機のうち発熱する部分は、前記循環風路内において前記除湿手段よりも下流側に配置されている。【選択図】図４
2019042217.tif 000002
【特許請求の範囲】
【請求項１】
衣類が収容される乾燥室と、
前記乾燥室に接続される循環風路と、
前記乾燥室内の空気を前記循環風路を通して循環させる循環送風機と、
前記循環風路内に設けられ、前記循環風路内を流れる空気を除湿する除湿手段と、
を備え、
前記循環送風機のうち発熱する部分は、前記循環風路内において前記除湿手段よりも下流側に配置されている衣類乾燥機。
【請求項２】
前記循環風路内において前記除湿手段よりも下流側に設けられ、前記循環風路内を流れる空気を加熱する加熱手段をさらに備え、
前記循環送風機のうち発熱する部分は、前記循環風路内において前記加熱手段よりも上流側に配置されている請求項１に記載の衣類乾燥機。
【請求項３】
前記循環送風機のうち発熱する部分と前記加熱手段との間の距離は、前記循環送風機のうち発熱する部分と前記除湿手段との間の距離よりも長い請求項２に記載の衣類乾燥機。
【請求項４】
前記加熱手段は、前記循環送風機のうち発熱する部分に対向する部分に、他の部分よりも空気抵抗が低い低空気抵抗部を有する請求項２または３に記載の衣類乾燥機。
【請求項５】
前記循環風路内において前記除湿手段よりも下流側に設けられ、前記循環風路内を流れる空気を加熱する加熱手段をさらに備え、
前記循環送風機のうち発熱する部分は、前記循環風路内において前記加熱手段よりも下流側に配置されている請求項１に記載の衣類乾燥機。
【請求項６】
前記加熱手段は、冷媒が流れる流路を有する偏平管を備えるマルチフロー型の凝縮器である請求項２から５の何れか１項に記載の衣類乾燥機。
【請求項７】
前記循環風路は、前記除湿手段が配置されている部分における流路が矩形の流路、前記循環送風機のうち発熱する部分が配置されている部分における流路が円形の流路となっており、且つ、前記矩形の流路と前記円形の流路との間の流路が、矩形から円形に変化する流路となっている請求項１から６の何れか１項に記載の衣類乾燥機。
【請求項８】
前記循環送風機のうち発熱する部分として、防水加工が施されているモータを備える請求項１から７の何れか１項に記載の衣類乾燥機。
【請求項９】
前記循環送風機のうち発熱する部分を前記循環風路内において支持する支持手段をさらに備え、
前記支持手段は、熱の循環風路側への伝達を絶縁する熱絶縁体を有する請求項１から８の何れか１項に記載の衣類乾燥機。
【発明の詳細な説明】
【技術分野】
【０００１】
本発明の実施形態は、衣類乾燥機に関する。
【背景技術】
【０００２】
例えば特許文献１に開示されているように、衣類乾燥機は、衣類が収容される乾燥室と、乾燥室に接続される循環風路と、乾燥室内の空気を循環風路を通して循環させる循環送風機と、を備え、さらに、循環風路内に、循環風路内を流れる空気を除湿する除湿手段、および、循環風路内を流れる空気を加熱する加熱手段を備えた構成となっている。そして、衣類乾燥機は、循環送風機を駆動することにより、乾燥室内の空気を循環風路を通して循環させ、その循環の過程で、循環風路内を流れる空気を除湿し、その後、加熱して乾燥室内に戻すことにより、乾燥室内の衣類の乾燥を行うようになっている。
【先行技術文献】
【特許文献】
【０００３】
【特許文献１】特開２００４−２０１７７２号公報
【発明の概要】
【発明が解決しようとする課題】
【０００４】
この種の衣類乾燥機において、衣類の乾燥を効率良く行おうとする場合、例えば、より短い時間で乾燥を行おうとする場合には、循環送風機の回転速度を通常よりも高い回転速度で維持し、これにより、循環風量を増加させることが考えられている。しかし、循環送風機の回転速度を高回転速度で維持し続けると、例えば、循環送風機のファンモータが発熱して高温となるおそれがある。そして、循環送風機が高温となる場合には、その回転速度を下げざるを得ず、従って、循環風量を十分に増加させること、ひいては、衣類の乾燥を効率良く行うことができないという課題がある。
【０００５】
そこで、本実施形態は、循環送風機の回転速度を通常よりも高い回転速度で維持し続けることができ、衣類の乾燥を効率良く行うことができる衣類乾燥機を提供する。
【課題を解決するための手段】
【０００６】
本実施形態に係る衣類乾燥機は、乾燥室、循環風路、循環送風機、除湿手段を備える。乾燥室には、衣類が収容される。循環風路は、前記乾燥室に接続されている。循環送風機は、前記乾燥室内の空気を、前記循環風路を通して循環させる。除湿手段は、前記循環風路内に設けられており、前記循環風路内を流れる空気を除湿する。そして、前記循環送風機のうち発熱する部分は、前記循環風路内において前記除湿手段よりも下流側に配置されている。
【図面の簡単な説明】
【０００７】
【図１】本実施形態に係る衣類乾燥機の構成例を概略的に示す縦断側面図
【図２】本実施形態に係る衣類乾燥機の構成例を概略的に示す縦断背面図
【図３】本実施形態に係るヒートポンプユニットの構成例を概略的に示す図
【図４】第１実施形態に係る循環風路の内部の構成例を概略的に示す縦断面図
【図５】第２実施形態に係る循環風路の内部の構成例を概略的に示す縦断面図
【図６】第３実施形態に係る循環風路の内部の構成例を概略的に示す縦断面図
【図７】第３実施形態に係る循環風路の内部の構成例を循環送風機の軸方向から見て概略的に示す図
【図８】第４実施形態に係る循環風路の内部の構成例を概略的に示す縦断面図
【図９】第５実施形態に係る循環風路の内部の構成例を概略的に示す縦断面図
【図１０】第５実施形態に係る循環風路の内部の構成例を概略的に示す斜視図
【図１１】第６実施形態に係る支持脚部の先端部およびその周辺部分の構成例を概略的に示す図
【発明を実施するための形態】
【０００８】
以下、衣類乾燥機に係る複数の実施形態について図面を参照しながら説明する。なお、各実施形態において実質的に同一の要素には同一の符号を付し、説明を省略する。
【０００９】
（第１実施形態）
図１および図２に例示する洗濯乾燥機１は、衣類の洗濯機能と乾燥機能を備えたいわゆるドラム式の洗濯乾燥機であり、乾燥行程においては衣類を乾燥する衣類乾燥機としても機能する。洗濯乾燥機１の本体を構成する筐体２は、ほぼ矩形の箱状をなしていて、前面部２ａがやや前下がりの傾斜状に形成されている。前面部２ａには、図示しない洗濯物出入口が形成されている。また、前面部２ａには、洗濯物出入口を開閉する扉３が回動可能に設けられている。
【００１０】
筐体２内には、水槽４がサスペンション５を介して弾性的に支持されている。水槽４は、前面が開口し後面が閉塞された有底円筒状をなしていて、軸線方向を前後方向に指向させ、且つ、やや前上がりの傾斜状態に配置されている。水槽４の前面開口部は、図示しない蛇腹状のべローズを介して洗濯物出入口に接続されている。水槽４は、衣類などの洗濯物を乾燥させる乾燥行程時には、乾燥室の一例として機能する。
【００１１】
水槽４内には、回転槽の一例であるドラム６が回転可能に配設されている。このドラム６も、水槽４と同様に、前面に開口部を有し後面が閉塞された有底円筒状をなしていて、軸線方向を前後方向に指向させ、且つ、やや前上がりの傾斜状態に配置されている。ドラム６の周壁部および後壁部には多数の孔６ａが形成されている。これらの孔６ａは、洗い行程時やすすぎ行程時には水が通る通水孔として機能し、乾燥行程時には乾燥風が通る通風孔として機能する。
【００１２】
水槽４の背部にはドラムモータ７が設けられていて、ドラム６は、そのドラムモータ７により回転軸７ａを介して回転駆動される。なお、ドラム６の周壁部の内部には、図示しない複数のバッフルが設けられている。衣類などの洗濯物は、洗濯物出入口、水槽４の開口部、およびドラム６の開口部を通してドラム６内に出し入れ可能に収容される。
【００１３】
水槽４には、周壁部の前部の上部に上向きの空気出口８ａが設けられているとともに、後部壁の上部に空気入口８ｂが設けられている。空気出口８ａの上部には、振動吸収可能に蛇腹状に形成された接続ダクト９を介してフィルタケース１０が接続されている。フィルタケース１０内には、図示しないリントフィルタが着脱可能に取り付けられる。
【００１４】
フィルタケース１０の後部には、排気ダクト１１の前端部が接続されている。排気ダクト１１は、フィルタケース１０から後方へ向けて延びた後、下方に向きを変え、その下端部が、振動吸収可能に蛇腹状に形成された接続ダクト１８ａを介して、筐体２内の後方下部において水槽４よりも下方に設けられたヒートポンプユニット１２のユニットケース１３の上流側に接続されている。ユニットケース１３は、ヒートポンプユニット１２の外殻を構成するものである。ユニットケース１３は、サスペンション５の後方において洗濯乾燥機１の横方向に沿って、つまり、水平方向に沿って延びている。また、ユニットケース１３の下流側には、振動吸収可能に蛇腹状に形成された接続ダクト１８ｂを介して給気ダクト１９の一端部が接続されている。給気ダクト１９の他端部は上方へ延びていて、水槽４の空気入口８ｂに接続されている。
【００１５】
ここで、洗濯乾燥機１は、接続ダクト９、フィルタケース１０、排気ダクト１１、接続ダクト１８ａ、ヒートポンプユニット１２のユニットケース１３、接続ダクト１８ｂ、および、給気ダクト１９により、水槽４の空気出口８ａと空気入口８ｂとの間を連通接続する循環風路２０を構成している。この循環風路２０は、水槽４の外部であって、且つ、筐体２の内部において、一端部である上流側が空気出口８ａに接続され、他端部である下流側が空気入口８ｂに接続されている。
【００１６】
図３に例示するように、ヒートポンプユニット１２に備えられるヒートポンプ２１は、圧縮機２２、凝縮器２３、絞り器２４、蒸発器２５を冷媒管２６によりサイクル接続して冷凍サイクルを構成している。このうち、熱交換器を構成する凝縮器２３および蒸発器２５は、循環風路２０の一部を構成するユニットケース１３の内部に配置されている。図３では図示を省略しているが、循環風路２０内には、詳しくは後述する循環送風機３１が備えられている。循環送風機３１は、水槽４内の空気を、循環風路２０を通して循環させるものである。この循環送風機３１が駆動されることにより、水槽４内の空気は、循環風路２０内に導入されて、空気出口８ａ側である上流側から空気入口８ｂ側である下流側に向かって流れるようになっている。
【００１７】
そして、ユニットケース１３内において、蒸発器２５は、水槽４の空気出口８ａ側、つまり、循環風路２０の上流側に配置されている。一方、凝縮器２３は、水槽４の空気入口８ｂ側、つまり、循環風路２０の下流側に配置されている。即ち、循環風路２０内において、凝縮器２３は、蒸発器２５よりも下流側に配置されている。蒸発器２５は、除湿手段の一例であり、循環風路２０内を空気出口８ａ側から空気入口８ｂ側、つまり、上流側から下流側に向かって流れる空気を冷却して除湿する除湿手段として機能する。一方、凝縮器２３は、加熱手段の一例であり、循環風路２０内を空気出口８ａ側から空気入口８ｂ側、つまり、上流側から下流側に向かって流れる空気を加熱する加熱手段として機能する。
【００１８】
次に、水槽４内の空気を循環風路２０を通して循環させるための循環送風機３１の構成例について説明する。即ち、図４に例示するように、循環送風機３１は、ファン３２およびファンモータ３３を備えている。ファン３２は、ファン軸３４を介してファンモータ３３に接続されている。ファンモータ３３は、ファン軸３４を介してファン３２を回転駆動する。循環送風機３１は、循環風路２０内において空気が流れる方向にファン３２のファン軸３４が沿う送風機、いわゆる軸流ファンとして構成されている。
【００１９】
また、ファンモータ３３は、樹脂３５によりモールドされたモールドモータで構成されており、即ち、樹脂３５による防水加工が施されたモータとなっている。また、ファンモータ３３は、循環風路２０内において、複数の支持脚部３６により支持されている。支持脚部３６は、支持手段の一例である。本実施形態では、ファンモータ３３は、その上下が支持脚部３６により支持されており、これにより、循環風路２０のほぼ中央部に維持されるようになっている。なお、ユニットケース１３には、外方に窪む窪み部１３ａが設けられており、支持脚部３６の先端部は、この窪み部１３ａに差し込まれている。
【００２０】
循環送風機３１は、ファンモータ３３によりファン３２を回転させることに伴い、ファンモータ３３が発熱する構成となっている。このとき、ファンモータ３３の発熱量は、ファン３２の回転速度が高くなるほど大きくなる。即ち、循環送風機３１を構成するファンモータ３３は、循環送風機３１のうち発熱する部分として定義することができる。なお、ファンモータ３３が発熱すると、その熱は、循環送風機３１の他の構成要素、例えばアルミニウムなどの金属材料で構成されるファン３２、ファン軸３４、支持脚部３６にも伝達する。そのため、これらファン３２、ファン軸３４、支持脚部３６も、間接的ではあるが、循環送風機３１のうち発熱する部分として定義することができる。
【００２１】
ユニットケース１３内において循環送風機３１が駆動されると、水槽４内の空気が空気出口８ａから循環風路２０内に流入し、循環風路２０を通じて空気入口８ｂから水槽４内に戻されるように循環する。この循環の過程において、循環風路２０内を流れる空気は、蒸発器２５により除湿され、さらに凝縮器２３により加熱されて、温風として水槽４内に流入する。即ち、ヒートポンプユニット１２は、ドラム６内の衣類を乾燥するための空気を蒸発器２５により除湿し凝縮器２３により加熱する。
【００２２】
ここで、本実施形態では、循環送風機３１、換言すれば、この循環送風機３１のうち駆動時に発熱する部分であるファンモータ３３は、循環風路２０内において蒸発器２５よりも下流側に配置されている。この構成によれば、循環送風機３１のうち発熱する部分を、蒸発器２５により冷却された空気により冷やすことができ、従って、循環送風機３１を通常よりも高い回転速度で回転させたとしても、循環送風機３１の駆動に伴い発熱する部分からの発熱による温度上昇を抑えることができる。よって、循環送風機３１の回転速度を通常よりも高い回転速度で維持し続けることができ、循環風量を増大させて、衣類の乾燥を効率良く行うことができる。
【００２３】
また、本実施形態によれば、ファンモータ３３は、循環風路２０内において凝縮器２３よりも上流側に配置されている。この構成によれば、循環風路２０内を流れる空気を、凝縮器２３だけでなくファンモータ３３によっても加熱することができる。よって、循環風路２０を介して水槽４内に戻される空気を効率良く加熱することができ、衣類の乾燥を一層効率良く行うことができる。また、本実施形態によれば、循環風路２０内を流れる空気は、凝縮器２３よりも手前側においてファンモータ３３によって加熱される。そのため、循環風路２０内を流れる空気を凝縮器２３に到達する前の段階においていわゆる予熱することができ、凝縮器２３の負荷の低減を図りつつ、循環空気を効率良く加熱することができる。
【００２４】
また、本実施形態によれば、循環送風機３１のうち発熱する部分であるファンモータ３３は、樹脂３５による防水加工が施されたモールドモータで構成されている。よって、蒸発器２５を通過した空気に湿気が含まれていたとしても、その湿気が循環送風機３１に与える悪影響を抑えることができる。
【００２５】
（第２実施形態）
図５に例示する構成例では、循環送風機３１のうち発熱する部分、この場合、ファンモータ３３と凝縮器２３との間の距離Ｄ２は、ファンモータ３３と蒸発器２５との間の距離Ｄ１よりも長くなっている。この構成によれば、循環送風機３１の本体部を構成する比較的大きな部品であるファンモータ３３と凝縮器２３との間に十分な風路空間を確保することができる。よって、凝縮器２３においてファンモータ３３の存在により空気が供給されにくい部分が発生してしまうことを回避することができ、凝縮器２３における熱交換効率の低下を抑えることができる。
【００２６】
（第３実施形態）
図６および図７に例示する構成例では、凝縮器４０は、循環送風機３１のうち発熱する部分、この場合、ファンモータ３３に対向する部分に低空気抵抗部４１を有している。低空気抵抗部４１は、凝縮器４０の他の部分よりも空気抵抗が低くなるように構成された部分である。本実施形態では、凝縮器４０は、いわゆるマルチフロー型の凝縮器として構成されている。即ち、凝縮器４０は、複数の偏平管４２が上下のヘッダ４３，４４により挟まれ、且つ、複数の偏平管４２の間に放熱フィン４５を備えた構成となっている。偏平管４２は、扁平状に形成され、その内部に、冷媒が流れる流路を有する。ヘッダ４３は、扁平管４２への冷媒の入口を構成する。ヘッダ４４は、扁平管４２からの冷媒の出口を構成する。放熱フィン４５は、例えばアルミニウムなどの金属材料で構成されており、複数の扁平管４２の間において各頂点が扁平管４２に接するように波状に設けられている。
【００２７】
低空気抵抗部４１は、上述したマルチフロー型の凝縮器４０において、放熱フィン４５のピッチを他の部分よりも大きくすることにより設けられている。即ち、本実施形態では、凝縮器４０は、低空気抵抗部４１以外の部分における放熱フィン４５のピッチが密となっているのに対し、低空気抵抗部４１における放熱フィン４５のピッチは、当該部分に放熱フィン４５が１枚あるいは数枚だけ存在する程度の粗いピッチとなっている。
【００２８】
本実施形態によれば、循環風路２０内を流れる空気を加熱する加熱手段として、熱交換効率に優れるいわゆるマルチフロー型の凝縮器４０を備えている。従って、循環風路２０内を循環する空気を効率良く加熱することができ、衣類の乾燥を一層効率良く行うことができる。また、マルチフロー型の凝縮器４０によれば、放熱フィン４５のピッチを部分的に変えることを容易に行うことができ、低空気抵抗部４１の形成を複雑な設計などを要することなく行うことができる。
【００２９】
なお、図示はしないが、凝縮器４０は、低空気抵抗部４１において放熱フィン４５を全く有しない構成、つまり、当該凝縮器４０を上流側から下流側に向かって貫通する貫通孔を低空気抵抗部とする構成としてもよい。また、複数枚の放熱フィンと、これら放熱フィンを貫通して蛇行するように設けられる冷媒管と、からなる凝縮器、いわゆるフィンチューブ型の凝縮器を搭載する場合は、例えば、放熱フィンの枚数を他の部分よりも減らす、あるいは、冷媒管の密度を他の部分よりも減らすことにより、低空気抵抗部を構成してもよい。
【００３０】
（第４実施形態）
図８に例示する構成例では、循環送風機３１、換言すれば、この循環送風機３１のうち駆動時に発熱する部分であるファンモータ３３は、循環風路２０内において凝縮器２３よりも下流側に配置されている。この構成によれば、凝縮器２３により加熱された空気を、さらに、ファンモータ３３によっても加熱することができ、即ち、凝縮器２３により加熱された空気を、ファンモータ３３の熱により保温することができる。よって、凝縮器２３により加熱された空気を高温状態のまま水槽４内に戻すことができ、衣類の乾燥を一層効率良く行うことができる。しかも、上述の第３実施形態の熱交換器に設けた低空気抵抗部を本実施形態では設ける必要がないため、凝縮器２３に用いる熱交換器としては汎用のものが利用可能である。
【００３１】
（第５実施形態）
図９および図１０に例示する構成例では、循環風路２０は、蒸発器２５が配置されている部分における流路が断面矩形状の流路となっており、循環送風機３１のうち発熱する部分、この場合、ファンモータ３３が配置されている部分における流路が断面円形状の流路となっている。そして、循環風路２０は、蒸発器２５が配置されている断面矩形状の流路とファンモータ３３が配置されている断面円形状の流路との間の流路が、上流側から下流側に向かって断面矩形状から断面円形状に緩やかに、且つ、徐々に変化する流路となっている。
【００３２】
本実施形態によれば、概ね矩形状をなす蒸発器２５から概ね円形状をなす循環送風機３１に向かって、それぞれの形状を緩やかにつなぐような流路を形成することができる。このような流路によれば、蒸発器２５から循環送風機３１に向かって、効率良く空気を流すことができる。これにより、循環風路２０内における空気の流れを円滑することができ、水槽４内の空気の循環、ひいては、水槽４内の衣類の乾燥を一層効率良く行うことができる。
【００３３】
なお、本実施形態によれば、循環風路２０は、さらに、循環送風機３１のうち発熱する部分、この場合、ファンモータ３３が配置されている部分における流路が断面円形状の流路となっており、凝縮器２３が配置されている部分における流路が断面矩形状の流路となっている。そして、循環風路２０は、ファンモータ３３が配置されている断面円形状の流路と凝縮器２３が配置されている断面矩形状の流路との間の流路が、上流側から下流側に向かって断面円形状から断面矩形状に緩やかに、且つ、徐々に変化する流路となっている。
【００３４】
この構成によれば、概ね円形状をなす循環送風機３１から概ね矩形状をなす凝縮器２３に向かって、それぞれの形状を緩やかにつなぐような流路を形成することができ、循環送風機３１から凝縮器２３に向かって、効率良く空気を流すことができる。これにより、循環風路２０内における空気の流れを円滑することができ、水槽４内の空気の循環、ひいては、水槽４内の衣類の乾燥を一層効率良く行うことができる。
【００３５】
（第６実施形態）
図１１に例示する構成例では、支持脚部３６は、熱絶縁体５０を介して、ユニットケース１３の窪み部１３ａに差し込まれている。熱絶縁体５０は、熱絶縁性を有する例えば樹脂材料、ゴム材料、ガラス材料などにより構成されている。本実施形態によれば、循環送風機３１のうち発熱する部分、例えば、ファンモータ３３が発熱したとしても、その熱が支持脚部３６を介してユニットケース１３側に伝達することを防止することができる。よって、ファンモータ３３の発熱を外部に逃がすことなく循環風路２０内を流れる空気の加熱に利用できるとともに、例えば樹脂材料により構成されるユニットケース１３が熱により変形してしまうことを防止することができる。
【００３６】
（その他の実施形態）
本実施形態は、上述した複数の実施形態に限定されるものではなく、例えば次のように拡張または変形することができる。例えば、上述した複数の実施形態を適宜組み合わせて実施することができる。また、循環送風機３１は、その全体が循環風路２０内に収められていなくてもよく、その一部である駆動に伴い発熱する部分が循環風路２０内に収められた構成であればよい。
【００３７】
また、支持脚部３６の数は、２本に限られるものではなく、３本以上の複数本であってもよい。また、循環風路２０内に設ける循環送風機３１の数は、１つに限られるものではなく、例えば、要求される風量などに応じて、２つ以上の複数個の循環送風機３１を備える構成としてもよい。複数の循環送風機３１を備える構成においては、複数の循環送風機３１を、循環風路２０内において空気が流れる方向に対し直交する方向に配列してもよいし、循環風路２０内において空気が流れる方向に沿って配列してもよい。
【００３８】
また、除湿手段は、蒸発器に限られるものではなく、例えば、空気に対して水を滴下することにより除湿するいわゆる水冷式の除湿手段であってもよい。また、加熱手段は、凝縮器に限られるものではなく、例えば、ヒータであってもよい。また、本実施形態は、回転槽の回転軸が水平方向または傾斜方向に延びるいわゆるドラム式の洗濯乾燥機に限られるものではなく、回転槽の回転軸が垂直方向となるいわゆる縦軸型の洗濯乾燥機にも適用することができる。また、本実施形態は、洗濯機能を有しない純粋な衣類乾燥機にも適用することができる。
【００３９】
以上に説明した複数の実施形態に係る衣類乾燥機によれば、循環送風機のうち発熱する部分は、循環風路内において除湿手段よりも下流側に配置されている。この構成によれば、循環送風機のうち発熱する部分を、除湿手段を通過した空気により冷やすことができる。よって、循環送風機の回転速度を通常よりも高い回転速度で維持し続けることができ、衣類の乾燥を効率良く行うことができる。
【００４０】
なお、本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００４１】
図面中、１は洗濯乾燥機（衣類乾燥機）、４は水槽（乾燥室）、２０は循環風路、２３は凝縮器（加熱手段）、２５は蒸発器（除湿手段）、３１は循環送風機、３２はファン（循環送風機のうち発熱する部分）、３３はファンモータ（循環送風機のうち発熱する部分）、３４はファン軸（循環送風機のうち発熱する部分）、３６は支持脚部（循環送風機のうち発熱する部分、支持手段）、４０は凝縮器（マルチフロー型の凝縮器、加熱手段）、４１は低空気抵抗部、５０は熱絶縁体を示す。
【図１】
2019042217.tif 000003
【図２】
2019042217.tif 000004
【図３】
2019042217.tif 000005
【図４】
2019042217.tif 000006
【図５】
2019042217.tif 000007
【図６】
2019042217.tif 000008
【図７】
2019042217.tif 000009
【図８】
2019042217.tif 000010
【図９】
2019042217.tif 000011
【図１０】
2019042217.tif 000012
【図１１】
2019042217.tif 000013